(57)【要約】【課題】各顧客に応じたより木目の細かい画像形成制御を簡易に実現する技術的解決手段、すなわち、各顧客に応じたより木目の細かい画像形成制御を簡易に実現する着脱部材、画像形成装置、サーバコンピュータ、コンピュータプログラム、クライアントシステムを提供する。【解決手段】画像形成装置本体に対して着脱可能な着脱部材であり、当該着脱部材は制御情報を含む情報を記憶する記憶部を有し、当該着脱部材が画像形成装置本体に装着されると当該記憶部に記憶されている情報に基づいて画像形成装置の動作が制御される着脱部材。【選択図】    図６
2004354628.tif 000002
【特許請求の範囲】
【請求項１】
画像形成装置本体に対して着脱可能な着脱部材であり、
当該着脱部材は制御情報を含む情報を記憶する記憶部を有し、
当該着脱部材が画像形成装置本体に装着されると当該記憶部に記憶されている情報に基づいて画像形成装置の動作が制御される着脱部材。
【請求項２】
前記着脱部材の記憶部には、当該着脱部材の出荷先に応じた制御情報が記憶される請求項１に記載の着脱部材。
【請求項３】
前記着脱部材の記憶部に記憶される制御情報は、当該着脱部材の生産者から最終消費者に至るｎ次の出荷先に応じてｉ回（１≦ｉ≦ｎ：ｉ、ｎは自然数）更新されている請求項１に記載の着脱部材。
【請求項４】
前記記憶部に記憶される制御情報は、前記着脱部材が画像形成装置本体に装着されない状態で更新可能な請求項１に記載の着脱部材。
【請求項５】
前記着脱部材は、外部からの信号を受信する受信部を備え、当該受信部で受信された信号に基づいて記録部内の制御情報を更新可能な請求項１に記載の着脱部材。
【請求項６】
前記記憶部に記憶されている制御情報は、初期状態から少なくとも一回以上更新されている請求項１に記載の着脱部材。
【請求項７】
前記着脱部材の記憶部には、当該着脱部材の仕様を示す仕様情報が記憶される請求項１に記載の着脱部材。
【請求項８】
前記着脱部材の記憶部には、当該着脱部材の使用履歴を示す使用履歴情報が記憶される請求項１に記載の着脱部材。
【請求項９】
画像形成装置本体と、当該画像形成装置本体に対して着脱自在に着脱部材と、画像形成装置の動作を制御する制御手段とを備える画像形成装置であり、
当該着脱部材は制御情報を含む情報を記憶する記憶部を有し、
当該制御手段は、当該記憶部に記憶されている情報に基づいて当該画像形成装置の動作を制御する画像形成装置。
【請求項１０】
前記着脱部材は記録シート上に形成されたトナー画像を定着する定着ユニットであり、
前記制御手段は前記記憶部に記憶されている情報に基づいて当該定着ユニットの動作を制御する請求項９に記載の画像形成装置。
【請求項１１】
前記着脱部材は記録シート上にトナー画像を形成する画像形成ユニットであり、
前記画像形成装置本体には記録シート上に形成されたトナー画像を定着する定着ユニットを含み、
前記制御手段は前記記憶部に記憶されている情報に基づいて当該定着ユニットの動作を制御する請求項９に記載の画像形成装置。
【請求項１２】
ユーザに情報を出力する出力手段を有し、
前記記憶部には、前記制御情報としての前記着脱部材の販売店を示す販売店情報と、当該着脱部材の仕様を示す仕様情報と、当該着脱部材の使用履歴を示す使用履歴情報が記憶され、
前記制御手段は、これらの仕様情報と使用履歴情報とに基づいて当該着脱部材の交換時期が近いと判断する場合には、販売店情報を当該出力手段に出力させる請求項９に記載の画像形成装置。
【請求項１３】
前記記憶部には、前記制御情報としての広告を示す広告情報が記憶され、
前記制御手段は、画像形成時に当該広告情報を記録シート上に印字する請求項９に記載の画像形成装置。
【請求項１４】
ユーザからの情報を入力する入力手段を有し、
前記制御手段は、当該入力手段から入力されるユーザの選択に基づいて、前記広告情報を記録シート上に印字する請求項１３に記載の画像形成装置。
【請求項１５】
画像形成度数に応じて課金する課金手段を有し、
前記制御手段は、画像形成時に前記広告情報を印字する場合には当該課金を低減させる請求項１３に記載の画像形成装置。
【請求項１６】
情報通信ネットワークを介して複数のクライアントコンピュータと情報通信可能なサーバコンピュータであり、
当該サーバコンピュータは、
各クライアントコンピュータに対応する制御情報を記憶し、
各クライアントコンピュータに当該制御情報を送信するとともに、
当該制御情報は画像形成装置の動作を制御する情報であるサーバコンピュータ。
【請求項１７】
情報通信ネットワークを介して複数のクライアントコンピュータと情報通信可能にさせるサーバコンピュータのプログラムであり、
当該サーバコンピュータプログラムは、
サーバコンピュータに記憶されている制御情報を対応するクライアントコンピュータに送信させるとともに、
当該制御情報は画像形成装置の動作を制御する情報であるコンピュータプログラム。
【請求項１８】
情報通信ネットワークを介してサーバコンピュータと情報通信可能なクライアントコンピュータと、当該クライアントコンピュータから得られる制御情報を画像形成装置に着脱自在な着脱部材が備える記憶部に書き込む書込装置とを有するクライアントシステムであり、
当該制御情報は当該サーバコンピュータから情報通信ネットワークを介してクライアントコンピュータに送信されるとともに、画像形成装置の動作を制御する情報であるクライアントシステム。
【発明の詳細な説明】
【０００１】
【発明の属する技術分野】
本発明は、複写機、プリンタ、ファクシミリ、これらの複合機等の画像形成装置及びその関連技術に関する。
【０００２】
【従来の技術】
【特許文献１】特開２０００−３５６８７０号公報
【特許文献２】特開平５−１４２８８０号公報
【特許文献３】特開平９−２３０７３８号公報
【特許文献４】特開平８−３１００８８号公報
【０００３】
従来から、電子写真方式（静電転写方式）を利用した複写機、プリンタ等の画像形成装置が広く知られている。これらの画像形成装置では、トナーの種類などに応じてその制御条件を変更するように構成するものもある。
【０００４】
例えば、特許文献１には、トナーの種類情報を予めトナーカートリッジに搭載されたメモリに記憶しておき、そのトナーカートリッジが装着される画像形成装置の定着装置において、当該トナーの種類情報に応じて適切な定着温度等を選択、設定する技術が開示されている。
【０００５】
【発明が解決しようとする課題】
しかしながら、各顧客の環境に応じたよりきめの細かい画像形成制御を行うためには、トナーの種類情報だけでは十分ではない。特に、ＯＥＭ先が複数存在する場合には各ＯＥＭ先ごとに、異なった画像形成条件を設定する必要性が高い。
【０００６】
本発明は、このような技術的な課題に鑑みてなされたものであり、その目的は、各顧客に応じたより木目の細かい画像形成制御を簡易に実現する技術的解決手段、すなわち、各顧客に応じたより木目の細かい画像形成制御を簡易に実現する着脱部材、画像形成装置、サーバコンピュータ、コンピュータプログラム、クライアントシステムを提供することにある。
【０００７】
【課題を解決するための手段】
本発明を画像形成装置の着脱部材に係る発明として捉えると、本発明は、画像形成装置本体に対して着脱可能な着脱部材であり、当該着脱部材は制御情報を含む情報を記憶する記憶部を有し、当該着脱部材が画像形成装置本体に装着されると当該記憶部に記憶されている情報に基づいて画像形成装置の動作が制御される着脱部材である。ここで、当該記憶部に記憶されている情報に基づいて当該着脱部材の動作が制御されるものでもよいし、当該画像形成装置本体の動作が制御されるものでもよい。
【０００８】
また、前記着脱部材の記憶部には、当該着脱部材の出荷先に応じた制御情報が記憶される着脱部材とすることもできる。この出荷先に応じた制御情報のより具体的な例としては、当該着脱部材の出荷先言語、出荷先地域、出荷先国、出荷先企業、出荷先顧客（個人法人）に応じた制御情報、当該着脱部材の出荷先地域、出荷先国、出荷先企業、出荷先顧客（個人法人）の（画像形成に対する）要求水準に応じた制御情報、当該着脱部材の出荷先環境（温度、湿度、高度、季節）に応じた制御情報、当該着脱部材の出荷先地域、出荷先国、出荷先企業、出荷先顧客（個人法人）の紙質に応じた制御情報、などが挙げられる。
【０００９】
また、前記着脱部材の記憶部に記憶される制御情報は、当該着脱部材の生産者から最終消費者に至るｎ次の出荷先に応じてｉ回（１≦ｉ≦ｎ：ｉ、ｎは自然数）更新されているものでもよい。また、前記記憶部に記憶される制御情報は、前記着脱部材が画像形成装置本体に装着されない状態で更新可能なものでもよい。また、前記着脱部材は、外部からの信号を受信する受信部を備え、当該受信部で受信された信号に基づいて記録部内の制御情報を更新可能なものでもよい。また、前記記憶部に記憶されている制御情報は、初期状態から少なくとも一回以上更新されているものでもよい。
【００１０】
また、前記着脱部材の記憶部には、（制御情報の他にも）当該着脱部材の仕様を示す仕様情報が記憶されるものでもよいし、当該着脱部材の使用履歴を示す使用履歴情報が記憶されるものでもよい。
【００１１】
本発明を画像形成装置に係る発明として捉えると、本発明は、画像形成装置本体と、当該画像形成装置本体に対して着脱自在に着脱部材と、画像形成装置の動作を制御する制御手段とを備える画像形成装置であり、当該着脱部材は制御情報を含む情報を記憶する記憶部を有し、当該制御手段は、当該記憶部に記憶されている情報に基づいて当該画像形成装置の動作を制御する画像形成装置である。
【００１２】
ここで、前記制御手段は、前記記憶部に記憶されている情報に基づいて前記着脱部材の動作を制御するものでもよいし、前記記憶部に記憶されている情報に基づいて前記画像形成装置本体の動作を制御するものでもよい。
【００１３】
また、前記着脱部材の具体的構成としては、記録シート上にトナー画像を形成する画像形成ユニット、記録シート上に形成されたトナー画像を定着する定着ユニット、トナーが充填されたトナーカットリッジなどが挙げられる。
【００１４】
例えば、前記着脱部材は記録シート上に形成されたトナー画像を定着する定着ユニットであり、前記制御手段は前記記憶部に記憶されている情報に基づいて当該定着ユニットの動作を制御するように構成することもできる。また、例えば、前記着脱部材は記録シート上にトナー画像を形成する画像形成ユニットであり、前記画像形成装置本体には記録シート上に形成されたトナー画像を定着する定着ユニットを含み、前記制御手段は前記記憶部に記憶されている情報に基づいて当該定着ユニットの動作を制御するように構成することもできる。
【００１５】
また、ユーザに情報を出力する出力手段を有し、前記記憶部には、前記制御情報としての前記着脱部材の販売店を示す販売店情報と、当該着脱部材の仕様を示す仕様情報と、当該着脱部材の使用履歴を示す使用履歴情報が記憶され、前記制御手段は、これらの仕様情報と使用履歴情報とに基づいて当該着脱部材の交換時期が近いと判断する場合には、販売店情報を当該出力手段に出力させる画像形成装置とすることもできる。さらに、前記出力手段は、コンピュータに対する入出力インタフェイス手段であり、前記販売店情報は当該入出力インタフェイス手段に接続されたコンピュータの出力手段を介してユーザに出力される画像形成装置とすることもできる。
【００１６】
また、前記記憶部には、前記制御情報としての広告を示す広告情報が記憶され、前記制御手段は、画像形成時に当該広告情報を記録シート上に印字する画像形成装置とすることもできる。この際、前記制御手段は、画像形成時に当該広告情報を記録シート上の非画像領域に印字するように構成することができる。また、ユーザからの情報を入力する入力手段を有し、前記制御手段は、当該入力手段から入力されるユーザの選択に基づいて、前記広告情報を記録シート上に印字する画像形成装置とすることもできる。さらに、前記入力手段は、コンピュータに対する入出力インタフェイス手段であり、前記選択は当該入出力インタフェイス手段に接続されたコンピュータの入力手段を介してユーザが行なう画像形成装置とすることもできる。
【００１７】
また、画像形成度数に応じて課金する課金手段を有し、前記制御手段は、画像形成時に前記広告情報を印字する場合には当該課金を低減させる画像形成装置とすることもできる。
【００１８】
また、本発明をサーバコンピュータに係る発明として捉えると、本発明は、情報通信ネットワークを介して複数のクライアントコンピュータと情報通信可能なサーバコンピュータであり、当該サーバコンピュータは、各クライアントコンピュータに対応する制御情報を記憶し、各クライアントコンピュータに当該制御情報を送信するとともに、当該制御情報は画像形成装置の動作を制御する情報であるサーバコンピュータである。
【００１９】
また、本発明をコンピュータプログラムに係る発明として捉えると、本発明は、情報通信ネットワークを介して複数のクライアントコンピュータと情報通信可能にさせるサーバコンピュータのプログラムであり、当該サーバコンピュータプログラムは、サーバコンピュータに記憶されている制御情報を対応するクライアントコンピュータに送信させるとともに、当該制御情報は画像形成装置の動作を制御する情報であるコンピュータプログラムである。
【００２０】
また、本発明をクライアントシステムに係る発明として捉えると、本発明は、情報通信ネットワークを介してサーバコンピュータと情報通信可能なクライアントコンピュータと、当該クライアントコンピュータから得られる制御情報を画像形成装置に着脱自在な着脱部材が備える記憶部に書き込む書込装置とを有するクライアントシステムであり、当該制御情報は当該サーバコンピュータから情報通信ネットワークを介してクライアントコンピュータに送信されるとともに、画像形成装置の動作を制御する情報であるクライアントシステムである。
【００２１】
【発明の実施による形態】
実施形態  以下、本発明の実施形態を説明する。図１は、本実施形態に係る着脱部材ｕの流通システム全体を説明する概念図である。
【００２２】
まず、この流通システムそのものを説明する。工場Ｍで着脱部材（プロセスカートリッジや定着装置ユニット）ｕが製造された後、販社（自社系列及びＯＥＭ先）等の流通業者Ｄを経て最終ユーザＣへ着脱部材ｕが届けられる。また、場合によっては工場Ｍから直接、最終ユーザＣへ着脱部材ｕが届けられる。そして着脱部材ｕは、最終ユーザの画像形成装置１の中の使用済み着脱部材ｕ’と交換される。
【００２３】
ここで、最終ユーザＣの地域、国、地方は様々である。それに伴い、最終ユーザの使用する言語、環境（温度、湿度など）、記録シートの紙質等は様々である。また、最終ユーザＣの画質に対する要求水準は様々である。
【００２４】
次に、この流通システムを支えるクライアントサーバシステムを説明する。このクライアントサーバシステムは、インタネット（情報通信ネットワーク）Ｎに接続されたサーバコンピュータＳと、複数のクライアントコンピュータＴとで構成されている。クライアントコンピュータは、例えば、着脱部材ｕの製造工場のクライアントコンピュータＴ（Ｍ）、流通業者（販社、ＯＥＭ先、倉庫等を含む）のクライアントコンピュータＴ（Ｄ）、最終消費者のクライアントコンピュータＴ（Ｄ）などから構成されている。そして、サーバコンピュータＳとクライアントコンピュータＴとの間で、インタネットＮを介して情報通信が行なわれる。
【００２５】
図２は、サーバコンピュータＳとあるクライアントコンピュータＴ（ｊ）との間の情報通信を説明するものである。サーバコンピュータＳの記憶装置には、データベースＤＢと配信プログラムＰとが記憶されている。このデータベースＤＢは、各クライアントコンピュータＴ（１）…に対応する識別情報ＩＤ（１）…と書込情報Ｉ（１）…とがそれぞれセットで記憶されている。そして、あるクライアントコンピュータＴ（ｊ）からサーバコンピュータＳへその識別情報ＩＤ（ｊ）とともに、情報配信要求が送信されると、サーバコンピュータの配信プログラムＰは、情報配信要求に含まれる識別情報ＩＤ（ｊ）に基づきデータベースＤＢ内を検索し、該当する書込み情報Ｉ（ｊ）をそのクライアントコンピュータＴ（ｊ）に送信する。
【００２６】
図３、図４、図５は、それぞれクライアントシステムの構成を説明する概念図である。また、図６は、着脱部材ｕの記憶部ｍ内の情報が更新される様子を説明する概念図である。
【００２７】
図３は、比較的大規模な書込み装置Ｗ１とクライアントコンピュータＴとからなるクライアントシステムを説明するものである。この書込み装置Ｗ１では、ベルトコンベア上に搬送されるダンボールＵを対象としている。このダンボールＵ中には着脱部材ｕが複数梱包されている。そして、このベルトコンベア上を搬送されるダンボールＵが書込み装置Ｗ１を通過する際に、無線により各着脱部材ｕの半導体メモリで構成された記憶部ｍに記憶されている書込み情報ＩがＩ（ｉ）からＩ（ｉ＋１）へと更新される。つまり、記憶部ｍはｍ（ｉ）からｍ（ｉ＋１）へと更新され、着脱部材ｕはｕ（ｉ）からｕ（ｉ＋１）へと更新される（図６参照）。
【００２８】
図４は、比較的小さいハンディタイプの書込み装置Ｗ２とクライアントコンピュータＴとからなるクライアントシステムを説明するものである。この書込み装置Ｗ２は、（画像形成装置本体に装着されていない）着脱部材ｕを対象としている。そして、ダンボールＵから取り出された着脱部材ｕに対し、無線によりその記憶部ｍに記憶されている書込み情報ＩをＩ（ｉ）からＩ（ｉ＋１）へと更新する（図６参照）。
【００２９】
図５は、書込み装置Ｗ３としての画像形成装置１とクライアントコンピュータＴとからなるクライアントシステムを説明するものである。この書込み装置Ｗ３（画像形成装置１）は、画像形成装置本体に装着されている着脱部材ｕを対象としている。そして、画像形成装置本体に装着されている着脱部材ｕに対し、有線又は無線によりその記憶部ｍに記憶されている書込み情報ＩをＩ（ｉ）からＩ（ｉ＋１）へと更新する（図６参照）。
【００３０】
図６は、着脱部材ｕの記憶部ｍ内の書込み情報Ｉが更新される様子を説明する概念図である。本実施形態では、記憶部ｍに記憶される書込み情報Ｉとして、制御情報ＣＩ、仕様情報ＳＩ、履歴情報ＨＩが存在する。そして、これらの書込み情報Ｉに基づいて画像形成装置Ｉが制御される（後述する）。なお、（着脱部材ｕの返品などの）場合によっては、これとは逆に、書込み情報ＩをＩ（ｉ＋１）からＩ（ｉ）へと更新してもよい。
【００３１】
制御情報ＣＩは、流通過程の仕向け先（流通業者Ｄ、最終ユーザＣ）に応じて記憶される情報である。例えば、海外向けの着脱部材ｕであれば当該国での使用頻度の高い用紙（記録シート）の特性に応じた画像形成パラメータ（帯電パラメータ、露光パラメータ、現像パラメータ、転写パラメータ、定着パラメータ、表示言語の少なくとも一つ）を、また、仕向け先の環境仕様（気温の高低、湿度の高低、気圧の高低など）に応じた画像形成パラメータを、さらに、最終ユーザＣの（画質や生産性等に関する）要求に応じた画像形成パラメータを、最終ユーザＣの電源電圧に応じた画像形成パラメータを、それぞれ制御情報ＣＩとして記憶、更新する。
【００３２】
仕様情報ＳＩは、着脱部材ｕの仕様に応じて記憶される情報である。例えば、着脱部材ｕが定着ユニットである場合には、仕様情報ＳＩとして、ヒートロール情報（熱伝導特性、各層の膜厚）、加圧ロール情報（加圧力、硬度、各層の膜厚、寿命仕様（標準寿命）などが記憶される。また、着脱部材ｕがプロセスカートリッジである場合には、仕様情報ＳＩとして、感光体の膜厚、感光体の寿命仕様などが記憶される。さらに、着脱部材ｕがトナーカートリッジの場合には、仕様情報ＳＩとして、そのトナーの特性、トナー量（寿命特性）などが記憶される。
【００３３】
履歴情報ＨＩは、着脱部材ｕの使用履歴に応じて（画像形成装置１に装着され、使用される過程で）記憶される情報である。例えば、着脱部材ｕが定着ユニットである場合には、履歴情報ＨＩとして、ヒートロールの積算回転数、ヒーターランプの点灯回数、点灯時間、通紙枚数、用紙サイズ毎の通紙枚数などが記憶される。また、着脱部材ｕがプロセスカートリッジである場合には、履歴情報ＨＩとして、感光体の回転回数などが記憶される。さらに、着脱部材ｕがトナーカートリッジの場合には、トナー供給量などが記憶される。
【００３４】
図７は、着脱部材ｕが装着可能な画像形成装置１の構成を説明する断面概略図である。まずこの画像形成装置１の基本的構成を説明する。この画像形成装置１は、画像形成部と、用紙搬送部と、定着ユニット４０とから構成されている。
【００３５】
画像形成部は、プロセスカートリッジ１０と、露光装置２０と、転写ロール１４とから構成されている。プロセスカートリッジ１０は、像担持体としての感光体ドラム１１、感光体ドラム１１表面を一様に帯電させる帯電手段としての帯電ロール１２、露光装置２０により静電的に書込まれた静電潜像をトナーにより現像する現像手段としての現像装置１３、転写後の残留トナーを感光体ドラム１１表面から除去するクリーニング手段としてのクリーニングブレード１５等を一体的に備えている。用紙搬送部は、それぞれ異なる種類の記録シートが収容されるシートトレイ３０ａ〜ｃと、ピックアップロール３１ａ〜ｃと、リタードロール３２ａ〜ｃと、レジストロール対３３、排出ロール対３４等を備えている。定着ユニット４０は、それぞれ内部にヒータを有する加熱ロール４１、加圧ロール４２を備えている。
【００３６】
次に、この画像形成装置１の基本的動作を説明する。図示しない画像読取装置（スキャナ）やコンピュータから入力される画像形成命令に基づいて、露光装置２０が感光体ドラム１１表面に静電潜像を書き込む。その静電潜像は現像装置１３により現像され、トナー像が感光体ドラム１１表面に形成される。そのトナー像は、転写ロール１４により、タイミングを合わせてシートトレイ３０から搬送される用紙上に静電転写される。その用紙は、定着ユニット４０において、加熱ロール４１と加圧ロール４２とのニップ部分に挟持・搬送され、その際の熱と圧力との作用により、トナー像が定着される。そして、定着済みの用紙は排出ロール対３４により画像形成装置１外へと排出される。一方、転写時に、感光体ドラム１１上に残留したトナーは、クリーニングブレード１５により感光体ドラム１１表面から除去される。
【００３７】
このような画像形成動作は、画像形成パラメータに基づいた様々な制御の元に行なわれる。
【００３８】
図８は、この画像形成装置１の制御系を説明する制御ブロック図である。この制御系は、制御部５０を中心にして構成されており、この制御部５０の入力部として、（着脱部材ｕの）記憶部ｍと、ユーザインタフェイス６０と、外部入出力インタフェイスＩＦが挙げられる。また、この制御部５０の出力部として、記憶部ｍと、ユーザインタフェイス６０と、外部入出力インタフェイスＩＦの他、加熱ロール４１、加圧ロール４２、帯電ロール１２、露光装置２０、現像装置１３、転写ロール１４が挙げられる。なお、外部入出力インタフェイスＩＦを介して（最終ユーザＣの）クライアントコンピュータＴ（Ｃ）に対しても入出力を行なうことが出来る。
【００３９】
以下、この画像形成装置１の制御の詳細を実施例として説明する。
【００４０】
実施例１（定着ユニット４０が着脱部材ｕの場合）  図９は、定着ユニット４０の斜視図である。制御部５０は、定着ユニット４０の記憶部ｍに記憶されている書込み情報Ｉに基づいて、画像形成動作を制御する。例えば、書込み情報Ｉのうち、仕様情報ＳＩと履歴情報ＨＩとに基づいて、定着ユニット４０の寿命を判断し、寿命が残り少なくなってきた場合には（定着ユニット４０の疲労が大きくなってきた場合には）、加熱ロール４１、加圧ロール４２に印加するバイアス電圧の大きさを大きくするように制御することができる。これにより、加熱ロール４１、加圧ロール４２の帯電量を維持し、未定着トナーの付着を継続的に防止することができる。なお、画像形成の度に、制御部５０は記憶部ｍ中の履歴情報ＨＩを更新する。
【００４１】
実施例２（プロセスカートリッジ１０が着脱部材ｕの場合）  図１０は、プロセスカートリッジ１０の斜視図である。制御部５０は、プロセスカートリッジ１０の記憶部ｍに記憶されている書込み情報Ｉに基づいて、画像形成動作を制御する。
【００４２】
例えば、書込み情報Ｉのうち、仕様情報ＳＩと履歴情報ＨＩとに基づいて、プロセスカートリッジ１０の寿命を判断し、寿命が残り少なくなってきた場合には（プロセスカートリッジ１０の疲労が大きくなってきた場合には）、転写ロール１４に印加するバイアス電圧の大きさを大きくするように制御することができる。これにより、トナーの帯電量の低下を補い、良好な転写性を維持することができる。さらに、寿命が残り少なくなってきた場合には、制御情報ＩＣに含まれる販社の情報（例えば、販社の名称、電話番号、ファックス番号、住所）をユーザインタフェイス装置６０などに表示させることができる。
【００４３】
また、仕分け先に応じて記憶されている制御情報ＩＣに基づいて、例えば、仕向け先が寒冷地の場合や、定着性の悪い用紙を使用する場合には、加熱ロール４１、加圧ロール４２の表面温度を標準的な地域のものよりも高めに制御したり、加熱ロール４１、加圧ロール４２のプレヒート時間を長めに制御したり、ユーザーが最適な定着温度を選択可能にすることもできる。さらに、仕向け先の気圧が低い場合には（標高が高い地域など）、転写ロール１４に印加するバイアス電圧の大きさを（標準的な地域よりも）小さくするように制御することができる。これにより、気圧の低い地域で起こりがちなリーク（所謂「高地リーク」）を防止することができる。同様に、仕向け先の電源電圧の大きさ、最終ユーザＣの要望に基づいた制御情報に基づいて、画像形成を制御することが出来る。
【００４４】
実施例３（プロセスカートリッジ１０が着脱部材ｕの場合）  制御部５０は、プロセスカートリッジ１０の記憶部ｍに記憶されている書込み情報Ｉに基づいて、画像形成の有無を制御する。図１１は、用紙ｐ上の広告の有無を説明するものである。通常は、用紙ｐ上の中央部の画像形成領域ＩＡにトナー画像が形成される。つまり、用紙ｐの周辺部にはトナー画像が形成されない非画像形成領域が存在する。ここで、制御情報ＩＣ中に「広告表示命令」が含まれる場合には、制御部５０は、例えば、この非画像形成領域に広告ＡＤを表示させる。この場合、課金を減額するように制御することも出来る。なお、このような広告を出力するか否かを、ユーザインタフェイス装置６０、クライアントコンピュータＴ（Ｃ）を介してユーザが選択できるように構成することもできる。
【００４５】
【発明の効果】
以上詳細に説明したように、本発明によれば、各顧客に応じたより木目の細かい画像形成制御を簡易に実現する技術的解決手段、すなわち、各顧客に応じたより木目の細かい画像形成制御を簡易に実現する着脱部材、画像形成装置、サーバコンピュータ、コンピュータプログラム、クライアントシステムを提供することができる。
【図面の簡単な説明】
【図１】図１は、本実施形態に係る着脱部材ｕの流通システム全体を説明する概念図である。
【図２】図２は、サーバコンピュータＳとあるクライアントコンピュータＴ（ｊ）との間の情報通信を説明するものである。
【図３】図３は、クライアントシステムの構成を説明する概念図である。
【図４】図４は、クライアントシステムの構成を説明する概念図である。
【図５】図５は、クライアントシステムの構成を説明する概念図である。
【図６】図６は、着脱部材ｕの記憶部ｍ内の情報が更新される様子を説明する概念図である。
【図７】図７は、着脱部材ｕが装着可能な画像形成装置１の構成を説明する断面概略図である。
【図８】図８は、この画像形成装置１の制御系を説明する制御ブロック図である。
【図９】図９は、定着ユニットの斜視図である。
【図１０】図１０は、プロセスカートリッジの斜視図である。
【図１１】図１１は、用紙ｐ上の広告の有無を説明するものである。
【符号の説明】
Ｎ…インタネット、Ｓ…サーバコンピュータ、Ｔ…クライアントコンピュータ、ＤＢ…データベース、Ｐ…プログラム、ｕ…着脱部材、ｍ…記憶部、Ｗ１、Ｗ２、Ｗ３…書き込み装置、Ｉ…書込み情報、ＣＩ…制御情報、ＳＩ…仕様情報、ＨＩ…履歴情報、５０…制御部、４０…定着ユニット、４１…加熱ロール、４２…加圧ロール、１０…プロセスカートリッジ、６０…ユーザインタフェイス装置（出力手段、入力手段）、入出力インタフェイス（出力手段、入力手段）
【図１】
2004354628.tif 000003
【図２】
2004354628.tif 000004
【図３】
2004354628.tif 000005
【図４】
2004354628.tif 000006
【図５】
2004354628.tif 000007
【図６】
2004354628.tif 000008
【図７】
2004354628.tif 000009
【図８】
2004354628.tif 000010
【図９】
2004354628.tif 000011
【図１０】
2004354628.tif 000012
【図１１】
2004354628.tif 000013